(57)【要約】【課題】筐体を少ない部品点数で実現しながらも、規定の感知性能を満足可能な感知ブロック、及び規定の音量を確保可能な音出力部を内蔵した煙感知器を提供する。【解決手段】煙感知器１は、筐体２と、光電式の感知ブロック１０と、音出力部６１と、を備える。筐体２は、第１カバー２１及び第２カバー２２を有する。筐体２は、第２カバー２２を施工面に向けて施工面に取り付けられる。感知ブロック１０は、感知空間を有し、感知空間内の煙を検知する。第１カバー２１は第１面２１ａを含む。第２カバー２２は第１面２１ａと基準方向に対向する第２面２２ａを含む。感知ブロック１０及び音出力部６１は、第１面２１ａと第２面２２ａとの間に形成された収容空間に配置されている。【選択図】図１
2019168832.tif 000002
【特許請求の範囲】
【請求項１】
第１カバー及び第２カバーを有し、前記第２カバーを施工面に向けて前記施工面に取り付けられる筐体と、
感知空間を有し、前記感知空間内の煙を検知する光電式の感知ブロックと、
音出力部と、を備え、
前記第１カバーは第１面を含み、
前記第２カバーは前記第１面と基準方向に対向する第２面を含み、
前記感知ブロック及び前記音出力部は、前記第１面と前記第２面との間に形成された収容空間に配置されている
煙感知器。
【請求項２】
前記筐体の外周面のうち前記第１カバーと前記第２カバーとの間には、前記筐体の外部と前記収容空間とをつなぐ開口部が形成されている
請求項１に記載の煙感知器。
【請求項３】
前記基準方向の一方から見て前記音出力部を囲むように、前記収容空間内における前記音出力部の周囲に配置された仕切壁を更に備える
請求項１又は２に記載の煙感知器。
【請求項４】
前記第２カバーは、前記音出力部に対応する位置に前記筐体の外部と前記収容空間とをつなぐ透孔を有する
請求項１〜３のいずれか１項に記載の煙感知器。
【請求項５】
前記感知ブロックが電気的に接続されるプリント配線板を更に備え、
前記プリント配線板は、前記収容空間内であって、前記基準方向において前記第２面と前記感知ブロックとの間に位置する
請求項１〜４のいずれか１項に記載の煙感知器。
【請求項６】
前記第１カバーは、前記基準方向において前記第１面とは反対側に位置する第１外側面を更に有し、
前記第１外側面には前記第１外側面の外周縁に沿って延びる溝が形成されており、
前記溝の底面のうち前記音出力部に対応する部分には音孔が形成されている
請求項１〜５のいずれか１項に記載の煙感知器。
【請求項７】
前記収容空間には、前記感知ブロックの周囲において、前記感知空間の外部から前記感知空間へ流入する煙の流路が形成されており、
前記第１面と前記第２面との少なくとも一方は、前記基準方向における前記流路の幅を狭める向きに張り出した張出部を有する
請求項１〜６のいずれか１項に記載の煙感知器。
【請求項８】
前記感知ブロックは、前記第２面に形成された窪み部内に配置されており、
前記張出部は、前記第２面における前記窪み部の周囲に位置する
請求項７に記載の煙感知器。
【発明の詳細な説明】
【技術分野】
【０００１】
本開示は、一般に煙感知器に関し、より詳細には、光電式の感知ブロックを備えた煙感知器に関する。
【背景技術】
【０００２】
特許文献１には、煙を検知する感知ブロック（煙感知部）と、音出力部（発音体）と、筐体（ハウジング）と、を備える煙感知器が記載されている。筐体は、感知ブロック及び音出力部を収容する。
【０００３】
特許文献１では、筐体は、ボディと、カバーと、裏カバーと、の３部材を備えている。ボディは、感知ブロックを収容する。カバーは、ボディの表側に取り付けられ、裏カバーは、ボディの裏側に取り付けられる。音出力部は、ボディとカバーとの間に収容され、感知ブロックは、ボディと裏カバーとの間に収容される。
【先行技術文献】
【特許文献】
【０００４】
【特許文献１】特開２０１０−２５７２５８号公報
【発明の概要】
【発明が解決しようとする課題】
【０００５】
ところで、特許文献１に記載の煙感知器は、感知ブロック及び音出力部を筐体に収容しているので、感知ブロック及び音出力部の汚れ及び劣化等を抑制できる。ただし、特許文献１に記載の構成では、感知ブロック及び音出力部の両方を筐体に収容可能とするためには、筐体が、少なくともボディ、カバー及び裏カバーの３部材を備えている必要がある。
【０００６】
本開示は上記事由に鑑みてなされ、筐体を少ない部品点数で実現しながらも、規定の感知性能を満足可能な感知ブロック、及び規定の音量を確保可能な音出力部を内蔵した煙感知器を提供することを目的とする。
【課題を解決するための手段】
【０００７】
本開示の一態様に係る煙感知器は、筐体と、光電式の感知ブロックと、音出力部と、を備える。前記筐体は、第１カバー及び第２カバーを有する。前記筐体は、前記第２カバーを施工面に向けて前記施工面に取り付けられる。前記感知ブロックは、感知空間を有し、前記感知空間内の煙を検知する。前記第１カバーは第１面を含む。前記第２カバーは前記第１面と基準方向に対向する第２面を含む。前記感知ブロック及び前記音出力部は、前記第１面と前記第２面との間に形成された収容空間に配置されている。
【発明の効果】
【０００８】
本開示によれば、筐体を少ない部品点数で実現しながらも、規定の感知性能を満足可能な感知ブロック、及び規定の音量を確保可能な音出力部を内蔵した煙感知器を提供できる、という利点がある。
【図面の簡単な説明】
【０００９】
【図１】図１は、実施形態１に係る煙感知器の斜め下方から見た分解斜視図である。
【図２】図２は、同上の煙感知器の斜め上方から見た分解斜視図である。
【図３】図３Ａは、同上の煙感知器の斜め下方から見た外観斜視図である。図３Ｂは、同上の煙感知器の斜め上方から見た外観斜視図である。
【図４】図４は、同上の煙感知器の一部破断した斜視図である。
【図５】図５は、同上の煙感知器の第２カバーを外した状態の平面図である。
【図６】図６Ａは、同上の煙感知器の端面図である。図６Ｂは、実施形態１の比較例に係る煙感知器の端面図である。
【図７】図７は、同上の煙感知器における感知ブロックの分解斜視図である。
【図８】図８は、同上の煙感知器の第２ケースを外した状態の感知ブロックの平面図である。
【図９】図９Ａは、同上の煙感知器の第２ケースを外した状態の感知ブロックの平面図である。図９Ｂは、同上の煙感知器の要部を示し、図９Ａの領域Ｚ１の拡大図である。
【図１０】図１０は、同上の煙感知器の要部を示し、図４の領域Ｚ１についての拡大断面図である。
【図１１】図１１は、同上の煙感知器の要部を示し、図８のＡ１−Ａ１線端面図である。
【図１２】図１２は、実施形態２に係る煙感知器の第２ケースを外した状態の感知ブロックの平面図である。
【図１３】図１３は、実施形態２の変形例に係る煙感知器の第２ケースを外した状態の感知ブロックの平面図である。
【図１４】図１４は、実施形態３に係る煙感知器の斜め上方から見た外観斜視図である。
【図１５】図１５は、同上の煙感知器の要部の断面図である。
【図１６】図１６は、実施形態４に係る煙感知器の斜め上方から見た外観斜視図である。
【図１７】図１７は、同上の煙感知器の斜め上方から見た分解斜視図である。
【発明を実施するための形態】
【００１０】
（実施形態１）
（１）概要
本実施形態に係る煙感知器は、火災等によって発生する煙を感知したときに、発報を行う防災機器である。つまり、火災等の災害の発生時において煙が発生すると、煙感知器は、この煙を検知し、一例として、警報音の出力又は通信機能による他の機器との連動等によって発報を行う。本開示でいう「防災機器」は、例えば、火災等の災害の防止、災害による被害の拡大の防止、又は被災からの復旧等の目的で施設に設置される機器である。
【００１１】
煙感知器１は、図３Ａ及び図３Ｂに示すように、筐体２を備え、筐体２内に種々の部品を収容している。煙感知器１は、施設に設置されて使用される。本実施形態では、煙感知器１が、例えば、ホテル、オフィスビル、学校、福祉施設、商業施設、テーマパーク、病院又は工場等の非住宅の施設に用いられる場合を例示するが、この例に限らず、煙感知器１は、集合住宅又は戸建住宅等の施設に用いられてもよい。煙感知器１は、例えば、施設の居室、廊下又は階段等において、天井又は壁等に取り付けられた状態で施設に設置される。
【００１２】
本実施形態に係る煙感知器１は、筐体２と、光電式の感知ブロック１０と、音出力部６１と、を備えている。筐体２は、第１カバー２１及び第２カバー２２を有している。筐体２は、第２カバー２２を施工面に向けて施工面に取り付けられる。感知ブロック１０は、感知空間Ｓｐ１（図４参照）を有する。感知ブロック１０は、感知空間Ｓｐ１内の煙を検知する。第１カバー２１は第１面２１ａ（図１の例では上面）を含む。第２カバー２２は第２面２２ａ（図１の例では下面）を含む。第２面２２ａは、第１面２１ａと基準方向（図１の例では上下方向）に対向する。感知ブロック１０及び音出力部６１は、第１面２１ａと第２面２２ａとの間に形成された収容空間Ｓｐ２（図４参照）に配置されている。
【００１３】
本開示でいう「光電式」とは、発光素子４（図７参照）及び受光素子５（図７参照）を有し、感知空間Ｓｐ１内の煙で反射された光、又は感知空間Ｓｐ１を透過する光の光量の変化に基づいて煙を感知する方式を意味する。本実施形態では、発光素子４は、感知空間Ｓｐ１に向けて光を出力する。受光素子５は、発光素子４からの直接光が入射せず、かつ感知空間Ｓｐ１内の煙での散乱光が入射する位置に配置される。これにより、感知空間Ｓｐ１に煙が存在しない状態では、受光素子５は、発光素子４から出力された光を受光せず、感知空間Ｓｐ１に煙が存在する状態では、受光素子５は、発光素子４から出力され煙で散乱された光（散乱光）を受光する。したがって、煙感知器１は、受光素子５での受光状態によって、感知空間Ｓｐ１に存在する煙を感知することができる。
【００１４】
本実施形態に係る煙感知器１は、上述したように筐体２を構成する２部材（第１カバー２１及び第２カバー２２）の間であって、互いに対向する一対の面（第１面２１ａ及び第２面２２ａ）の間の収容空間Ｓｐ２に、感知ブロック１０及び音出力部６１が配置される。つまり、本実施形態では、煙感知器１の主要な構成要素である感知ブロック１０及び音出力部６１が、第１カバー２１及び第２カバー２２の２部材間に収容される。したがって、本実施形態に係る煙感知器１では、筐体２を少ない部品点数（最少２点）で実現しながらも、規定の感知性能を満足可能な感知ブロック１０、及び規定の音量を確保可能な音出力部６１を内蔵した煙感知器１を提供できる。
【００１５】
（２）構成
以下、本実施形態に係る煙感知器１の構成について詳しく説明する。
【００１６】
本実施形態では、一例として、煙感知器１が施設の天井に取り付けられることとして説明する。以下、煙感知器１が天井に取り付けられた状態での、水平面に対して垂直な（直交する）方向を「上下方向」とし、上下方向における下方を「下方」として説明する。図面中の「上下方向」を示す矢印は説明のために表記しているに過ぎず、実体を伴わない。ただし、これらの方向は煙感知器１の使用方向（取付方向）を限定する趣旨ではない。例えば、ここで規定した「下方」が、実際の煙感知器１の設置状態では前方（水平方向）であってもよい。
【００１７】
また、以下に説明する各図面においては、煙感知器１の構成を模式的に表しており、図面における各種の寸法関係等が実物とは異なる場合がある。
【００１８】
（２．１）全体構成
まず、本実施形態に係る煙感知器１の全体構成について、図１〜図４を参照して説明する。
【００１９】
煙感知器１は、筐体２と、感知ブロック１０（図１参照）と、音出力部６１（図１参照）と、を備えている。また、本実施形態では、煙感知器１は、回路ブロック２０（図１参照）と、電池６２と、を更に備えている。電池６２は、煙感知器１の構成要素に含まれることは必須ではなく、煙感知器１の構成要素に電池６２が含まれていなくてもよい。
【００２０】
筐体２は、平面視において円形状となる円盤状である。筐体２は、合成樹脂製の成形品である。筐体２は、第１カバー２１と、第２カバー２２と、を有している。第１カバー２１は、第２カバー２２の下面を覆うように、第２カバー２２に対して組み合わされる。第２カバー２２は、施工面（本実施形態では天井面）に固定される。ただし、厳密には、第２カバー２２は施工面に直接的に固定されるわけではなく、施工面に固定されている取付ベースに固定されることによって、施工面に対して間接的に固定される。
【００２１】
ここで、第１カバー２１及び第２カバー２２は、いずれも円盤状に形成されており、平面視における外周形状が同一である。そのため、第１カバー２１と第２カバー２２とが組み合わされることにより、１つの円盤状の筐体２が構成される。第１カバー２１は、第２カバー２２に対して複数本（３本）のねじ６３にて結合される。第１カバー２１と第２カバー２２とが互いに結合された状態で、第１カバー２１と第２カバー２２との間には、感知ブロック１０、回路ブロック２０及び音出力部６１が収容される。
【００２２】
第１カバー２１は、円形状の第１主板２１１と、第１主板２１１の上面の外周部から上方に突出する第１周壁２１２と、を有している。また、第１カバー２１は、第１主板２１１の上面に、回路ブロック２０を配置するための回路領域２１３（図２参照）、及び音出力部６１を配置するための第１音響領域２１４（図２参照）を更に有している。第１カバー２１は、回路領域２１３内に配置された押釦２１５を更に有している。押釦２１５は、第１主板２１１に対してヒンジ構造により可動に構成されており、筐体２の内側、つまり上方へと押し込む操作が可能である。押釦２１５が押し操作されることにより、回路領域２１３に配置される回路ブロック２０に含まれるスイッチが操作されることになる。
【００２３】
また、第１主板２１１の下面には、外周縁に沿って延びる溝２１６（図３Ａ参照）が形成されている。溝２１６は、第１主板２１１の下面の外周縁と略同心円状であって、全周に亘って形成されている。つまり、溝２１６は、第１主板２１１の下面の外周縁よりも一回り小さい円環状である。さらに、溝２１６の底面のうち第１音響領域２１４に対応する部分には、第１主板２１１を、第１主板２１１の板厚方向に貫通する音孔２１７（図３Ａ参照）が形成されている。
【００２４】
第２カバー２２は、円形状の第２主板２２１と、第２主板２２１の上面の外周部から上方に突出する第２周壁２２２と、を有している。また、第２カバー２２は、第２主板２２１の下面に、感知ブロック１０を配置するための窪み部２２３（図１参照）、及び音出力部６１を配置するための第２音響領域２２４を更に有している。第２カバー２２は、第２主板２２１の上面に、電池６２を収容するための電池領域２２５（図２参照）を更に有している。
【００２５】
また、第２カバー２２は、第２主板２２１の下面から下方に突出する複数のスペーサ２２６を更に有している。複数のスペーサ２２６は、各々の先端部（下端部）を第１主板２１１の上面に接触させることにより、第１カバー２１と第２カバー２２との間に、所定の隙間を確保する。具体的には、第１カバー２１と第２カバー２２とが互いに結合された状態で、第１周壁２１２の上端面と第２主板２２１の下面との間には、筐体２の内部空間を筐体２の外部とつなぐ開口部２３としての隙間が形成される。これにより、開口部２３を通して、筐体２の内部空間、つまり第１カバー２１と第２カバー２２との間の空間に、煙が流入可能となる。
【００２６】
感知ブロック１０は、感知ケース７と、発光素子４（図７参照）と、受光素子５（図７参照）と、を有している。感知ケース７は、平面視において円形状となる円盤状である。感知ケース７は、合成樹脂製の成形品である。ここで、感知ケース７は、少なくとも遮光性を有している。本実施形態では、感知ケース７の一部が壁構造３（図４参照）として機能する。壁構造３は、感知空間Ｓｐ１の外部から感知空間Ｓｐ１に光が進入することを抑制しつつも、感知空間Ｓｐ１の外部から感知空間Ｓｐ１に煙を取り込む機能を有する。感知ブロック１０は、筐体２の内部空間において、回路ブロック２０の上方に配置される。感知ブロック１０は、感知ケース７内における感知空間Ｓｐ１（図４参照）に存在する煙を感知する。
【００２７】
すなわち、感知ブロック１０は、図４に示すように、筐体２の内部空間、つまり第１カバー２１と第２カバー２２との間の空間（後述する収容空間Ｓｐ２）に、回路ブロック２０等と共に収容される。そして、筐体２の内部空間は、上述したよう開口部２３を通して筐体２の外部と繋がっているので、筐体２の内部空間には開口部２３を通して煙が流入可能である。図４では、煙の進入経路の一部を模式的に点線矢印で示している。そして、感知ブロック１０は、感知空間Ｓｐ１の外部から感知空間Ｓｐ１に煙を取り込む壁構造３を有するので、筐体２の内部空間（収容空間Ｓｐ２）に流入した煙は、更に感知空間Ｓｐ１へと流入可能となる。これにより、感知ブロック１０での煙の感知が可能となる。感知ブロック１０について詳しくは「（２．３）感知ブロックの構成」の欄で説明する。
【００２８】
回路ブロック２０は、プリント配線板２０１と、スイッチを含む複数の電子部品２０２と、を有している。複数の電子部品２０２は、プリント配線板２０１に実装される。プリント配線板２０１の導体部には、感知ブロック１０の発光素子４及び受光素子５が電気的に接続される。また、プリント配線板２０１の導体部には、音出力部６１及び電池６２が更に電気的に接続される。本実施形態では、プリント配線板２０１は、感知ブロック１０の下方、つまり感知ブロック１０と第１主板２１１との間に配置されている。感知ブロック１０はプリント配線板２０１の板厚方向の一面（上面）上に搭載される。
【００２９】
ここで、回路ブロック２０は、複数の電子部品２０２にて構成される制御回路を含んでいる。制御回路は、発光素子４、受光素子５及び音出力部６１等の制御を行う回路であって、少なくとも発光素子４を駆動し、かつ受光素子５の出力信号について信号処理を実行する。信号処理においては、回路ブロック２０は、受光素子５の受光量（出力信号の大きさ）を閾値と比較することにより、感知空間Ｓｐ１における煙の有無を判断する。受光素子５での受光量は、例えば、感知空間Ｓｐ１の煙の濃度、及び煙の種類（白煙及び黒煙等）によって変化する。したがって、回路ブロック２０は、閾値との比較により、一定以上の濃度の煙が感知空間Ｓｐ１に存在する場合に、「煙有り」と判断する。回路ブロック２０は、煙の存在を感知すると、音出力部６１を駆動するための電気信号を音出力部６１に出力する。
【００３０】
音出力部６１は、回路ブロック２０からの電気信号を受けて音（音波）を出力する。音出力部６１は、電気信号を音に変換するスピーカ又はブザー等により実現される。音出力部６１は、平面視において円形状となる円盤状である。音出力部６１は、煙感知器１の状態に応じて駆動され、煙感知器１は、少なくとも煙の存在を感知した場合に音出力部６１から音を出力する。
【００３１】
電池６２は、第２カバー２２の上方において、電池領域２２５に収容される。電池６２は、一次電池と二次電池とのいずれであってもよい。
【００３２】
以上説明したように構成される本実施形態に係る煙感知器１は、例えば、自動火災報知システムの構成要素に含まれる。自動火災報知システムは、煙感知器１の他、例えば、煙感知器１からの発報信号（火災信号）を受信する受信機、及び人が火災を発見した場合に押ボタンを操作するための発信機等を備えている。自動火災報知システムにおいては、例えば、煙感知器１にて火災（による煙）の発生が検知されると、煙感知器１から受信機へ火災発生を通知する発報信号（火災信号）が送信される。
【００３３】
（２．２）筐体の構成
次に、筐体２のより詳細な構成について、図１〜図６Ｂを参照して説明する。ただし、以下に説明する各図は模式的な図であって、図中の各部位の長さ又は大きさの比が必ずしも実際の寸法比を反映しているとは限らない。
【００３４】
筐体２は、上述したように第１カバー２１と、第２カバー２２と、の２部材を有している。そして、筐体２は、第２カバー２２が施工面（本実施形態では天井面）に固定されることにより、施工面に取り付けられる。言い換えれば、筐体２は、第２カバー２２を施工面に向けて施工面に取り付けられる。
【００３５】
ここで、第１カバー２１は第１面２１ａを含み、第２カバー２２は第２面２２ａを含んでいる。第１面２１ａ及び第２面２２ａは、第１カバー２１と第２カバー２２とが互いに結合された状態で、基準方向において互いに対向する。本実施形態では、第１カバー２１と第２カバー２２とは上下方向に組み合わされるので、第１面２１ａと第２面２２ａとが対向する方向である「基準方向」は「上下方向」となる。
【００３６】
言い換えれば、第１カバー２１のうち、基準方向において筐体２の内側を向いた面、つまり第１カバー２１の上面が第１面２１ａとなる。より詳細には、図２に示すように、第１カバー２１の第１主板２１１の上面が第１面２１ａを構成する。そのため、本実施形態では、第１周壁２１２が第１面２１ａの外周部から上方に突出しており、かつ第１面２１ａには、回路領域２１３及び第１音響領域２１４が形成されている。
【００３７】
また、第２カバー２２のうち、基準方向において筐体２の内側を向いた面、つまり第１カバー２１にて覆われる第２カバー２２の下面が第２面２２ａとなる。より詳細には、図１に示すように、第２カバー２２の第２主板２２１の下面が第２面２２ａを構成する。そのため、本実施形態では、複数のスペーサ２２６が第２面２２ａから下方に突出しており、かつ第２面２２ａには、窪み部２２３及び第２音響領域２２４が形成されている。
【００３８】
ここにおいて、第１カバー２１と第２カバー２２とが互いに結合された状態では、第１面２１ａと第２面２２ａとの間には、収容空間Ｓｐ２（図４参照）が形成される。具体的には、基準方向において第１面２１ａと第２面２２ａとで挟まれた空間であって、平面視において第１面２１ａ及び第２面２２ａの両方と重複する範囲の空間が、つまり筐体２の内部空間が収容空間Ｓｐ２である。この収容空間Ｓｐ２に、感知ブロック１０及び音出力部６１が収容される。また、本実施形態では、回路ブロック２０についても、感知ブロック１０及び音出力部６１と共に収容空間Ｓｐ２に収容される。
【００３９】
ここで、収容空間Ｓｐ２における感知ブロック１０と回路ブロック２０との位置関係としては、上述したように感知ブロック１０が回路ブロック２０の上方に位置する。具体的には、回路ブロック２０は、感知ブロック１０が電気的に接続されるプリント配線板２０１を有している。プリント配線板２０１は、収容空間Ｓｐ２内であって、基準方向（上下方向）において、第１面２１ａと感知ブロック１０との間に位置する。言い換えれば、収容空間Ｓｐ２内において、感知ブロック１０及びプリント配線板２０１は、第１面２１ａ側から、プリント配線板２０１、感知ブロック１０の順に並ぶように配置される。
【００４０】
すなわち、本実施形態に係る煙感知器１では、筐体２は、第１カバー２１及び第２カバー２２の２部材のみで構成されている。そして、これら２部材の互いに対向する一対の面（第１面２１ａ及び第２面２２ａ）の間に形成される収容空間Ｓｐ２、つまり筐体２の内部空間に、感知ブロック１０及び音出力部６１がまとめて収容される。したがって、本実施形態に係る煙感知器１では、筐体２を比較的に少ない部品点数（最少２点）で実現しながらも、規定の感知性能を満足可能な感知ブロック１０、及び規定の音量を確保可能な音出力部６１を内蔵した煙感知器１を提供できる。
【００４１】
さらに、本実施形態では、第１カバー２１のうち、基準方向において筐体２の外側を向いた面、つまり第１カバー２１の下面が第１外側面２１ｂを構成する。より詳細には、図１に示すように、第１カバー２１の第１主板２１１の下面が第１外側面２１ｂとなる。つまり、第１カバー２１は、基準方向において第１面２１ａとは反対側（第１面２１ａの裏面）に位置する第１外側面２１ｂを有している。そのため、本実施形態では、第１外側面２１ｂには溝２１６が形成されている。
【００４２】
すなわち、第１外側面２１ｂには、第１外側面２１ｂの外周縁に沿って延びる溝２１６が形成されている。溝２１６は、第１外側面２１ｂの外周縁と略同心円状であって、全周に亘って形成されている。さらに、溝２１６の底面のうち音出力部６１に対応する部分、つまり第１音響領域２１４に対応する部分には音孔２１７が形成されている。音孔２１７は、第１主板２１１を第１主板２１１の板厚方向に貫通するので、収容空間Ｓｐ２のうちの少なくとも音出力部６１が配置される第１音響領域２１４は、音孔２１７を通して筐体２の外部につながる。
【００４３】
また、第２カバー２２のうち、基準方向において筐体２の外側を向いた面、つまり第２カバー２２の上面が第２外側面２２ｂを構成する。より詳細には、図２に示すように、第２カバー２２の第２主板２２１の上面が第２外側面２２ｂとなる。つまり、第２カバー２２は、基準方向において第２面２２ａとは反対側（第２面２２ａの裏面）に位置する第２外側面２２ｂを有している。そのため、本実施形態では、第２外側面２２ｂには、電池領域２２５が形成されている。
【００４４】
ここで、第２外側面２２ｂには、筐体２を施工面（本実施形態では天井面）に取り付けるための取付構造として、複数の引掛部２２９が設けられている。複数の引掛部２２９は、第２外側面２２ｂの外周縁に沿って並んで配置されており、第２外側面２２ｂから上方に突出する。第２カバー２２は、複数の引掛部２２９を取付ベースに引っ掛けることにより取付ベースに固定され、これにより、筐体２が施工面に対して間接的に固定される。
【００４５】
ところで、図３Ａ〜図４に示すように、筐体２の外周面２４のうち第１カバー２１と第２カバー２２との間には、筐体２の外部と収容空間Ｓｐ２とをつなぐ開口部２３が形成されている。すなわち、筐体２の内部空間である収容空間Ｓｐ２に対して、筐体２の外部から煙を流入可能とするための煙流入口としての開口部２３が、筐体２の外周面２４に設け得られている。本実施形態では、上述したように第１カバー２１と第２カバー２２との間には、複数のスペーサ２２６によって所定の隙間が確保されており、この隙間が、筐体２の外部と筐体２の内部空間である収容空間Ｓｐ２とをつなぐ開口部２３として機能する。そのため、本実施形態に係る煙感知器１では、第１カバー２１又は第２カバー２２に煙流入口としての開口部を設ける必要がなく、例えば、第１カバー２１又は第２カバー２２の強度の向上、及び筐体２の見映えの向上等を図ることができる。
【００４６】
より詳細には、筐体２の外周面２４は、第１カバー２１の第１周壁２１２及び第２カバー２２の第２周壁２２２にて形成されており、第１周壁２１２と第２周壁２２２との間に生じた隙間が開口部２３を構成する。開口部２３は、筐体２の外周面２４のうち、基準方向（上下方向）の略中央部に位置し、外周面２４の全周に亘って形成されている。これにより、煙感知器１は、基準方向における開口部２３の寸法を比較的小さく抑えながらも、外周面２４の周方向の全域から筐体２の内部空間（収容空間Ｓｐ２）へ煙を流入可能とすることで煙が流入しやすくなる。
【００４７】
また、本実施形態に係る煙感知器１では、収容空間Ｓｐ２に感知ブロック１０及び音出力部６１が一緒に収容されるので、感知ブロック１０の感知空間Ｓｐ１に対する音出力部６１が出力する音の影響を低減するために、以下の構成を採用している。すなわち、煙感知器１は、図５に示すように、仕切壁２５を更に備えている。仕切壁２５は、平面視において（基準方向の一方から見て）音出力部６１を囲むように、収容空間Ｓｐ２内における音出力部６１の周囲に配置されている。図５は、第２カバー２２を外した状態の煙感知器１の平面図であって、仕切壁２５には網掛け（ドットハッチング）を付している。
【００４８】
仕切壁２５は、第１面２１ａと第２面２２ａとの間に形成される収容空間Ｓｐ２内において、音出力部６１が配置される領域（第１音響領域２１４及び第２音響領域２２４）と、感知ブロック１０が配置される領域（窪み部２２３）とを仕切る構造体である。ただし、仕切壁２５が、音出力部６１が配置される領域と感知ブロック１０が配置される領域とを区切る機能を有していればよく、これら２つの領域の間を完全に分断することは必須ではない。
【００４９】
具体的には、本実施形態では、第１カバー２１の第１主板２１１に第１音響領域２１４が形成されている。そのため、仕切壁２５は、図２及び図５に示すように、第１面２１ａ（第１主板２１１の上面）における第１音響領域２１４の周囲から上方に突出するように、第１主板２１１と一体に形成されている。ここでは、仕切壁２５は、平面視において音出力部６１と略同心円状となる円環状に形成されており、第１音響領域２１４の略全周を包囲する。仕切壁２５は、後述する誘導壁２６と仕切壁２５との干渉を回避するスリット２５１を有している。第１カバー２１と第２カバー２２とが互いに結合された状態では、このスリット２５１に誘導壁２６の一部が嵌ることになり、誘導壁２６と仕切壁２５との干渉が回避される。
【００５０】
収容空間Ｓｐ２内に仕切壁２５が設けられることにより、音出力部６１が音を出力して収容空間Ｓｐ２内の空気が振動しても、この音（空気の振動）が、感知ブロック１０の感知空間Ｓｐ１に与える影響は仕切壁２５にて低減される。つまり、音出力部６１が出力した音の少なくとも一部が仕切壁２５で遮られることにより、感知空間Ｓｐ１への音の影響が抑制される。このように、本実施形態に係る煙感知器１では、収容空間Ｓｐ２に感知ブロック１０及び音出力部６１を一緒に収容しながらも、感知ブロック１０の感知空間Ｓｐ１に対する音出力部６１が出力する音の影響を低減することが可能である。
【００５１】
本実施形態では、仕切壁２５で囲まれた第１音響領域２１４に、上述した音孔２１７が形成されている。しかも、音出力部６１は、音孔２１７から筐体２の外部に音を出力する向き、つまり下向きの姿勢で第１音響領域２１４に配置されている。そのため、音出力部６１が出力する音は収容空間Ｓｐ２内で比較的こもりにくく、感知空間Ｓｐ１に対する音の影響をより低減できる。
【００５２】
さらに、本実施形態では、第２カバー２２は、音出力部６１を押さえ付けるためのボス部２２８（図１参照）を有している。ボス部２２８は、例えば、円筒状であって、第２面２２ａ（第２主板２２１の下面）における第２音響領域２２４の略中央部から下方に突出する。第１カバー２１と第２カバー２２とが互いに結合された状態で、ボス部２２８は、その先端部（下端部）が音出力部６１に接触し、音出力部６１を第１面２１ａの第１音響領域２１４に押し付ける。これにより、収容空間Ｓｐ２内における第１音響領域２１４からの音漏れが低減され、感知空間Ｓｐ１に対する音の影響をより低減できる。
【００５３】
また、本実施形態では、第２カバー２２は、煙を感知空間Ｓｐ１へ誘導するための複数の誘導壁２６を有している。複数の誘導壁２６は、図１に示すように、第２面２２ａ（第２主板２２１の下面）から下方に突出する。複数の誘導壁２６は、平面視において、感知ブロック１０が配置される領域（窪み部２２３）の中心から略放射状に延びた形に形成されている。複数の誘導壁２６は、筐体２の外周面２４の開口部２３から筐体２の内部空間（収容空間Ｓｐ２）へ流入した煙を、収容空間Ｓｐ２内に配置された感知ブロック１０の感知空間Ｓｐ１へと誘導する。火災時に発生する煙は、通常、上方に向けて流れる性質を有するので、収容空間Ｓｐ２の上面となる第２面２２ａに複数の誘導壁２６が形成されることで、煙が感知空間Ｓｐ１へ誘導されやすくなる。
【００５４】
ここで、第２面２２ａのうち、第２外側面２２ｂの電池領域２２５（図２参照）の裏側となる部位には、電池領域２２５に対応する形状の凸部２３０が形成されている。複数の誘導壁２６のうちの一部の誘導壁２６は、凸部２３０に繋がる連結片２６１を含んでいる。これにより、複数の誘導壁２６は、筐体２の内部空間（収容空間Ｓｐ２）において、凸部２３０から感知空間Ｓｐ１に向けても煙を効率的に誘導することができる。電池領域２２５には、第２主板２２１を第２主板２２１の板厚方向に貫通する貫通孔２２５ａ（図１７参照）が形成されていてもよい。この場合、貫通孔２２５ａから筐体２の内部空間（収容空間Ｓｐ２）へ流入した煙についても、連結片２６１を含む誘導壁２６にて、感知空間Ｓｐ１へ効率的に誘導できる。
【００５５】
次に、図６Ａ及び図６Ｂを参照して、筐体２の外部から筐体２の内部空間（収容空間Ｓｐ２）に流入して感知ブロック１０の感知空間Ｓｐ１に至る煙の流れについて、詳しく説明する。図６Ａには、本実施形態に係る煙感知器１を示し、図６Ｂには、比較例に係る煙感知器１Ｘを示す。図６Ａ及び図６Ｂは、いずれも図４の破断面に相当する端面図であって、煙の進入経路の一部を模式的に点線矢印で示している。
【００５６】
まず、本実施形態に係る煙感知器１では、図６Ａに示すように、収容空間Ｓｐ２には、感知ブロック１０の周囲において、感知空間Ｓｐ１の外部から感知空間Ｓｐ１へ流入する煙の流路２９が形成されている。本実施形態では、平面視において、感知ブロック１０の全周から感知空間Ｓｐ１に煙が流入するので、感知ブロック１０の全周に亘って流路２９が形成される。本実施形態では、収容空間Ｓｐ２に収容された回路ブロック２０（プリント配線板２０１）が、流路２９の底面の一部を形成している。そして、第１面２１ａと第２面２２ａとの少なくとも一方は、基準方向（上下方向）における流路２９の幅を狭める向きに張り出した張出部２８を有する。本実施形態では、張出部２８は、第２面２２ａに形成されている。
【００５７】
すなわち、図６Ａに示すように、第１面２１ａと第２面２２ａとの間に形成された収容空間Ｓｐ２には、開口部２３から感知ブロック１０にかけて、煙の流路２９が形成されている。開口部２３から収容空間Ｓｐ２に流入した煙は、この流路２９を通して感知ブロック１０の感知空間Ｓｐ１に流入する。さらに、第２面２２ａに形成された張出部２８により、基準方向における流路２９の幅が狭められている。
【００５８】
より詳細には、図６Ａに示すように、第２面２２ａにおける感知ブロック１０の周囲から下方に張り出した張出部２８により、基準方向における流路２９の幅が寸法Ｌ１１程度に狭められている。ここでは、張出部２８は、開口部２３の上端縁と略面一に形成されている。寸法Ｌ１１は、基準方向における感知空間Ｓｐ１の幅Ｌ１３と略同一である。さらに、本実施形態では、感知ブロック１０がプリント配線板２０１上に配置されているので、感知ブロック１０付近においては、プリント配線板２０１によって流路２９の底面が底上げされている。そのため、平面視において、張出部２８とプリント配線板２０１とが重なる部位においては、基準方向における流路２９の幅は寸法Ｌ１２にまで狭められている。
【００５９】
さらに、本実施形態では、感知ブロック１０は、第２面２２ａに形成された窪み部２２３内に配置されている。張出部２８は、第２面２２ａにおける窪み部２２３の周囲に位置する。つまり、張出部２８が基準方向における流路２９の幅を狭めるのに対し、窪み部２２３は基準方向における流路２９の幅を広げることになる。そのため、流路２９は、図６Ａに示すように、張出部２８により基準方向の幅が狭められた外側流路２９１と、窪み部２２３により基準方向の幅が広げられた内側流路２９２と、を含むことになる。本実施形態では、窪み部２２３は、その外周部に、外周縁から中心部に向けて徐々に深くなるように傾斜したテーパ面を有している。つまり、窪み部２２３はすり鉢状に形成されている。よって、基準方向における内側流路２９２の幅は、感知ブロック１０に近づくにつれて徐々に広くなる。
【００６０】
上述したような流路２９の形状によれば、開口部２３から筐体２の内部空間（収容空間Ｓｐ２）に流入した煙は、外側流路２９１、内側流路２９２をこの順で通って、感知空間Ｓｐ１に到達する。ここで、基準方向における流路２９の幅は、張出部２８により、基準方向における感知空間Ｓｐ１の幅Ｌ１３と同程度の寸法Ｌ１１に抑えられている。そのため、開口部２３から感知空間Ｓｐ１にかけて、基準方向における流路２９の幅が極端に広がることがなく、開口部２３から収容空間Ｓｐ２に流入した煙の流速が低下しにくい。結果的に、開口部２３から収容空間Ｓｐ２に流入した煙が、感知空間Ｓｐ１に流入しやすくなる。特に、内側流路２９２においては、窪み部２２３によって流路２９が上方に広げられている。火災時に発生する煙は、通常、上方に向けて流れる性質を有するので、この性質を利用して、煙は、感知空間Ｓｐ１により流入しやすくなる。
【００６１】
一方、図６Ｂに示すような、比較例に係る煙感知器１Ｘでは、第２面２２ａが略平坦に形成されている。この場合、図６Ｂに示すように、基準方向における流路２９の幅は寸法Ｌ２１にまで広がることになる。寸法Ｌ２１は、基準方向における感知空間Ｓｐ１の幅Ｌ２３に比べて十分に大きな（２倍程度の）寸法である。さらに、感知ブロック１０付近においては、プリント配線板２０１によって流路２９の底面が底上げされるものの、それでも基準方向における流路２９の幅は寸法Ｌ２２に狭められるに過ぎない。寸法Ｌ２１は、基準方向における感知空間Ｓｐ１の幅Ｌ２３より大きい。
【００６２】
比較例に係る煙感知器１Ｘでは、上述したような流路２９の形状により、開口部２３から筐体２の内部空間（収容空間Ｓｐ２）に流入した煙は、基準方向（特に上方）に広がりやすい。そのため、開口部２３から収容空間Ｓｐ２に流入した煙の流速が低下しやすい。結果的に、煙感知器１Ｘの構成によれば、本実施形態に係る煙感知器１の構成に比較して、開口部２３から収容空間Ｓｐ２に流入した煙が失速しやすく、感知空間Ｓｐ１に流入しにくくなる。
【００６３】
（２．３）感知ブロックの構成
次に、感知ブロック１０のより詳細な構成について、図７〜図１１を参照して説明する。ただし、以下に説明する各図は模式的な図であって、図中の各部位の長さ又は大きさの比が必ずしも実際の寸法比を反映しているとは限らない。
【００６４】
感知ブロック１０は、上述したように感知ケース７と、発光素子４と、受光素子５と、を有しており、感知ケース７の一部が壁構造３として機能する。感知ケース７の内部には、感知空間Ｓｐ１が形成される。また、感知ケース７は、発光素子４を保持する発光素子ホルダ８を有している。さらに、感知ケース７は、受光素子５を保持する受光素子ホルダ９を有している。すなわち、本実施形態に係る煙感知器１は、発光素子ホルダ８及び受光素子ホルダ９を備えている。
【００６５】
本実施形態では、図７に示すように、感知ケース７は、第１ケース７１と、第２ケース７２と、を有している。第２ケース７２は、第１ケース７１の上面を覆うように、第１ケース７１に対して組み合わされる。第１ケース７１は、プリント配線板２０１（図１参照）に固定される。第１ケース７１は、第１ケース７１をプリント配線板２０１に固定するための一対の爪７１１（図８参照）を有している。一対の爪７１１は、第１ケース７１の下面の外周部から下方に突出しており、プリント配線板２０１の孔の周縁に引っ掛かることにより、第１ケース７１をプリント配線板２０１に固定する。言い換えれば、第１ケース７１をプリント配線板２０１とは、スナップフィット方式により機械的に結合される。
【００６６】
ここで、第１ケース７１及び第２ケース７２は、いずれも平面視において円形状に形成されており、平面視における外周形状が略同一である。そのため、第１ケース７１と第２ケース７２とが組み合わされることにより、１つの円盤状の感知ケース７が構成される。第１ケース７１は、第１ケース７１と第２ケース７２とを結合するための一対の爪７１２（図８参照）を有している。一対の爪７１２は、第１ケース７１の上面の外周部から上方に突出しており、第２ケース７２の外周面に引っ掛かることにより、第１ケース７１と第２ケース７２とを結合する。言い換えれば、第１ケース７１と第２ケース７２とは、スナップフィット方式により機械的に結合される。第１ケース７１と第２ケース７２とが互いに結合された状態で、第１ケース７１と第２ケース７２との間には、感知空間Ｓｐ１が形成される。
【００６７】
第１ケース７１は、円形状の底板７３と、底板７３の上面７３１の外周部から上方に突出する壁構造３と、を有している。底板７３の上面７３１は、感知空間Ｓｐ１の底面を構成する。また、第１ケース７１は、発光素子ホルダ８の一部を構成する第１ホルダ８１、及び受光素子ホルダ９を更に有している。また、第１ケース７１は、後述する遮光壁７４（図８参照）、遮光リブ７５（図８参照）及び補助遮光壁７６（図８参照）を更に有している。第１ホルダ８１、受光素子ホルダ９、遮光壁７４、遮光リブ７５及び補助遮光壁７６の各々は、底板７３の上面７３１から上方に突出する。ここで、底板７３の上面７３１からの発光素子ホルダ８、受光素子ホルダ９、遮光壁７４及び補助遮光壁７６の突出量は、底板７３の上面７３１からの壁構造３の突出量と略同一である。
【００６８】
第２ケース７２は、円形状の上板７２１と、上板７２１の下面の外周部から下方に突出する周壁７２２と、を有している。周壁７２２の内径は壁構造３の外径より大きい。さらに、上板７２１の下面からの周壁７２２の突出量は、底板７３の上面７３１からの壁構造３の突出量と略同一である。したがって、第１ケース７１と第２ケース７２とが互いに結合された状態では、周壁７２２の先端面（下端面）が底板７３の上面７３１に接触し、壁構造３の先端面（上端面）が上板７２１の下面に接触する。この状態で、壁構造３は周壁７２２で囲まれた空間に収まることになる。
【００６９】
周壁７２２には、周壁７２２を周壁７２２の板厚方向に貫通する複数の窓孔７２３が形成されている。複数の窓孔７２３は、上板７２１の下面の周方向に沿って並んでいる。これにより、第１ケース７１と第２ケース７２とが互いに結合された状態で、複数の窓孔７２３を通して壁構造３が感知ケース７の外部に露出する。ここで、周壁７２２には、複数の窓孔７２３を覆うように防虫ネットが取り付けられていてもよい。防虫ネットは、複数の窓孔７２３から感知ケース７内の感知空間Ｓｐ１への虫等の異物の進入を低減する。
【００７０】
また、第２ケース７２は、発光素子ホルダ８の一部を構成する第２ホルダ８２（図１０参照）を更に有している。第２ホルダ８２は、第１ホルダ８１と共に発光素子ホルダ８を構成する。言い換えれば、発光素子ホルダ８は、第１ケース７１に設けられた第１ホルダ８１と、第２ケース７２に設けられた第２ホルダ８２と、の２部材に分割される。また、第２ケース７２は、上板７２１の下面のうち、遮光リブ７５と対向する位置に対向リブ７２４（図１０参照）を更に有している。
【００７１】
壁構造３は、図９Ａに示すように、底板７３の上面７３１（一平面）に直交する一方向（上方）から見て感知空間Ｓｐ１を囲んでいる。図９Ａは、第２ケース７２を外した状態、つまり第２ケース７２を省略した感知ブロック１０の平面図である。本実施形態では、底板７３の上面７３１上には、平面視において円形状の感知空間Ｓｐ１が形成されている。壁構造３は、平面視において、感知空間Ｓｐ１を全周にわたって包囲するように円環状に形成されている。言い換えれば、底板７３の上面７３１の外周部には、上面７３１の外周縁に沿って円環状の壁構造３が形成されている。第１ケース７１と第２ケース７２とが互いに結合された状態において、底板７３と上板７２１との間の空間であって、かつ壁構造３で囲まれた空間が感知空間Ｓｐ１となる。つまり、感知空間Ｓｐ１と、感知空間Ｓｐ１の周囲の空間と、は壁構造３によって仕切られている。
【００７２】
ここにおいて、壁構造３は、壁構造３の厚み方向の両側に、感知空間Ｓｐ１側を向いた内側面３１と、感知空間Ｓｐ１とは反対側を向いた外側面３２と、を有する。壁構造３は、厚み方向において、煙を通過させ、かつ光の透過を抑制する。すなわち、壁構造３は、平面視において所定の厚みを有する構造体であって、厚み方向の両側に、内側面３１及び外側面３２を有している。本実施形態では、壁構造３は、底板７３の上面７３１の半径方向、つまり、底板７３の上面７３１（一平面）に沿った方向であって感知空間Ｓｐ１の周囲から感知空間Ｓｐ１の中心に向かう方向を、壁構造３の厚み方向とする。そして、壁構造３は、内側面３１と外側面３２との間において、煙は通過させつつも、光の透過を抑制する機能を有している。これにより、壁構造３は、感知空間Ｓｐ１の外部から感知空間Ｓｐ１に光が進入することを抑制しつつも、感知空間Ｓｐ１の外部から感知空間Ｓｐ１に煙を取り込むことを可能にする。本実施形態では、壁構造３の厚みは、全周にわたって略均一であって、平面視において、上面７３１の外周縁と、内側面３１と、外側面３２と、は略同心円状となる。
【００７３】
このような壁構造３は、上記の機能を実現するために、壁構造３を厚み方向に貫通する、つまり内側面３１と外側面３２との間を貫通する複数の煙通過孔３３を有している。複数の煙通過孔３３は、壁構造３の周方向に沿って並んでいる。これにより、壁構造３は、各煙通過孔３３を通して、煙を通過させることができ、感知空間Ｓｐ１の外部から感知空間Ｓｐ１に煙を取り込むことを可能にする。ここで、各煙通過孔３３は、平面視において、内側面３１と外側面３２との間を真っ直ぐ貫くような形状ではなく、内側面３１と外側面３２との間の少なくとも一部が曲がった形状である。つまり、壁構造３の外側面３２側からでは、各煙通過孔３３を通しても、壁構造３に囲まれた感知空間Ｓｐ１を見通すことができないように、各煙通過孔３３は、少なくとも一部が湾曲又は屈曲した形状を有している。これにより、壁構造３は、光が各煙通過孔３３を通して壁構造３を透過することが抑制され、感知空間Ｓｐ１の外部から感知空間Ｓｐ１に光が進入することの抑制が可能になる。ただし、煙通過孔３３は、その全周が壁構造３に囲まれている必要はなく、例えば、煙通過孔３３における上下方向の両側には壁構造３が存在しなくてもよい。また、各煙通過孔３３の内側面３１側の開口と、外側面３２側の開口とは、平面視において、感知空間Ｓｐ１の半径上、つまり感知空間Ｓｐ１の中心点Ｐ１から放射状に延びる直線上に、並んでいなくてもよい。
【００７４】
具体的には、壁構造３は、内側面３１に沿って並ぶ複数の小片３０の集合体である。壁構造３は、これら複数の小片３０の間を通して煙を通過させる。言い換えれば、底板７３の上面７３１の外周部には、上面７３１の外周縁に沿って複数の小片３０が間隔を空けて並んで配置されている。複数の小片３０は、いずれも底板７３の上面７３１から突出しており、１つの壁構造３を構成する。複数の小片３０の上面７３１からの突出量は略均一である。壁構造３は、複数の小片３０のうち、隣接する一対の小片３０の間に、それぞれ煙通過孔３３を有している。そのため、各煙通過孔３３の上下方向の両側には、壁構造３を構成する小片３０が存在しない。
【００７５】
内側面３１は、これら複数の小片３０の感知空間Ｓｐ１側の端縁３０１を通る面である。外側面３２は、複数の小片３０の感知空間Ｓｐ１とは反対側の端縁３０２を通る面である。要するに、複数の小片３０の感知空間Ｓｐ１側の端縁３０１を結ぶ滑らかな曲面、平面、又は平面と曲面との組み合わせが内側面３１に相当する。同様に、複数の小片３０の感知空間Ｓｐ１とは反対側の端縁３０２を結ぶ滑らかな曲面、平面、又は平面と曲面との組み合わせが外側面３２に相当する。
【００７６】
言い換えれば、複数の小片３０の感知空間Ｓｐ１側の端縁３０１は内側面３１上に位置し、複数の小片３０の感知空間Ｓｐ１とは反対側の端縁３０２は外側面３２上に位置する。複数の小片３０のうち、後述の補助遮光壁７６と連続する小片３０においても、他の小片３０と同様に、感知空間Ｓｐ１側の端縁３０１が内側面３１上に位置し、複数の小片３０の感知空間Ｓｐ１とは反対側の端縁３０２が外側面３２上に位置する。このように、内側面３１及び外側面３２の各々は、本実施形態では、実体を有する面ではなく、複数の小片３０によって形状が規定される仮想面である。そのため、図９Ａ及び図９Ｂでは、内側面３１及び外側面３２を想像線（２点鎖線）で表記している。また、図９Ａにおいては、壁構造３に相当する領域に網掛け（ドットハッチング）を付している。
【００７７】
ただし、複数の小片３０の全てについて端縁３０１の位置が内側面３１と完全に一致することは必須ではなく、複数の小片３０について端縁３０１の位置が内側面３１と略一致していればよい。図９Ａの例でも、複数の小片３０のうちの過半数の小片３０は、感知空間Ｓｐ１側の端縁３０１の位置が内側面３１と完全に一致するが、残りの小片３０については、端縁３０１の位置が内側面３１付近ではあるものの、内側面３１と完全には一致しない。このように、内側面３１は、複数の小片３０のうちの過半数の小片３０の端縁３０１の位置によって規定され、残りの小片３０については端縁３０１が内側面３１付近にあればよい。外側面３２についても同様であって、複数の小片３０の全てについて端縁３０２の位置が外側面３２と完全に一致することは必須ではなく、複数の小片３０について端縁３０２の位置が外側面３２と略一致していればよい。つまり、外側面３２は、複数の小片３０のうちの過半数の小片３０の端縁３０２の位置によって規定され、残りの小片３０については端縁３０２が外側面３２付近にあればよい。ここでいう「付近」は、内側面３１又は外側面３２から見て、壁構造３の厚みの２０％程度の範囲である。
【００７８】
本実施形態では、平面視において、外側面３２は底板７３の上面７３１の外周縁と略平行、つまり上面７３１の外周縁から外側面３２までの距離は、全周にわたって均一である。さらに、内側面３１は、図９Ａに示すように、感知空間Ｓｐ１の中心点Ｐ１と外側面３２との間であって、中心点Ｐ１よりも外側面３２に近い位置に形成されている。言い換えれば、平面視において、外側面３２の略同心円であって半径が外側面３２の半分（１／２）となる仮想円を引いた場合に、この仮想円と外側面３２との間に、内側面３１が位置することになる。ただし、このような内側面３１及び外側面３２の各々の形状及び配置は、一例に過ぎず、内側面３１及び外側面３２の各々は、他の形状及び配置を採用してもよい。
【００７９】
ここで、複数の小片３０の各々は、平面視において、感知空間Ｓｐ１側の端縁３０１と、感知空間Ｓｐ１とは反対側の端縁３０２と、の間に曲げ部を有している。本実施形態では、複数の小片３０の各々は、平面視において、略Ｌ字状、略Ｖ字状又は略Ｙ字状に形成されている。このような形状により、隣接する一対の小片３０の間に生じる隙間からなる各煙通過孔３３は、上述したように、平面視において、内側面３１と外側面３２との間の少なくとも一部が曲がった形状となる。これにより、壁構造３は、厚み方向において、煙を通過させ、かつ光の透過を抑制する機能を実現する。
【００８０】
発光素子４は、光出射面４１（図８参照）を有し、通電時に、光出射面４１から光を出力する。本実施形態では一例として、発光素子４は、発光ダイオード（ＬＥＤ：Light Emitting Diode）である。発光素子４は、図７に示すように、本体部４０１を有している。本体部４０１の表面からは、一対のリード端子４０２が突出している。ここで、一対のリード端子４０２は、発光素子４の本体部４０１に電気的に接続されている。一対のリード端子４０２がプリント配線板２０１に電気的に接続されることにより、発光素子４は、回路ブロック２０から電力供給を受けて発光する。本実施形態では、一対のリード端子４０２は、発光素子４の構成要素に含まれないこととして説明するが、一対のリード端子４０２が発光素子４の構成要素に含まれてもよい。
【００８１】
ここで、発光素子４は、図９Ａに示すように、壁構造３の内側面３１と外側面３２との間に配置されている。言い換えれば、発光素子４の本体部４０１は、壁構造３の厚み方向の両端面となる内側面３１及び外側面３２の間に収まるように配置されている。また、発光素子４は、光出射面４１を内側面３１側、つまり感知空間Ｓｐ１側に向けて配置されている。これにより、発光素子４は、ミラー等の光学素子を用いることなく、光出射面４１から感知空間Ｓｐ１に向けて光を出力することができる。
【００８２】
本実施形態では、発光素子４は、図１０に示すように、外側面３２側を向いた背面４２と、光出射面４１と背面４２とをつなぐ底面４３と、を更に有している。図１０は、図４の領域Ｚ１についての拡大断面図である。発光素子４に電気的に接続される一対のリード線は底面４３から突出する。本実施形態では、底面４３から突出するリード線は、リード端子４０２である。言い換えれば、発光素子４は、本体部４０１における壁構造３の厚み方向の両側に光出射面４１及び背面４２を有している。そして、リード端子４０２は、光出射面４１及び背面４２のいずれでもなく、光出射面４１及び背面４２の両方に隣接する底面４３から突出する。すなわち、発光素子４は、リード端子４０２が突出する面（底面４３）を下方に向けた場合に、側方に光を出力する、いわゆるサイドビュータイプの発光ダイオードである。
【００８３】
また、本実施形態では、リード線（リード端子４０２）は、発光素子４から、発光素子４の光軸Ａｘ１（図１１参照）と直交する方向（ここでは下方）に突出する。つまり、リード端子４０２は、上述したように底面４３から下方に突出しており、リード端子４０２の一部に曲げ構造を採用することなく、発光素子４から下方に向けてリード端子４０２を引き出すことが可能である。
【００８４】
このような構成の発光素子４では、例えば、いわゆる砲弾タイプの発光ダイオードのように、光出射面とは反対側の面からリード端子が突出する構成の発光素子に比べて、壁構造３の厚み方向における占有スペースを小さくすることができる。すなわち、サイドビュータイプの発光ダイオードでは、底面４３から突出するリード端子４０２は、光出射面４１を内側面３１側に向けた発光素子４から、壁構造３の厚み方向とは直交する方向に引き出すことができる。これにより、壁構造３の厚み方向の寸法を比較的小さく抑えながらも、上述したように、壁構造３の内側面３１と外側面３２との間に、光出射面４１を内側面３１側に向けて発光素子４を配置することが可能である。
【００８５】
ここで、底面４３は、底板７３の上面７３１（一平面）に沿っている。本実施形態では、底面４３は、底板７３の上面７３１に対して平行ではなく、上面７３１に対して傾斜している。ただし、底面４３は、底板７３の上面７３１に沿っていればよく、上面７３１に対して略平行であってもよい。
【００８６】
さらに詳しくは、光出射面４１は、平坦部４１１と、凸部４１２と、を含んでいる。平坦部４１１は、背面４２と略平行な平面である。凸部４１２は、平坦部４１１からドーム状に突出し、凸レンズとして機能する。本体部４０１は、図１０に示すように、発光部４０３及びリード部４０４を有している。発光部４０３は、リード部４０４のうち外側面３２側を向いた表面上に実装されており、通電時に発光する。リード部４０４は、リード端子４０２と一体に構成されている。
【００８７】
受光素子５は、光を電気信号に変換する光電変換を行う素子である。本実施形態では一例として、受光素子５はフォトダイオード（ＰＤ：Photodiode）である。受光素子５は、図７に示すように、本体部５０１と、一対のリード端子５０２と、金属カバー５０３と、を有している。少なくとも本体部５０１の受光面が金属カバー５０３の孔から露出するように、本体部５０１が金属カバー５０３に収容されている。一対のリード端子５０２は、本体部５０１の下面から突出する。ここで、一対のリード端子５０２は、受光素子５の本体部５０１に電気的に接続されている。一対のリード端子５０２がプリント配線板２０１に電気的に接続されることにより、受光素子５は、回路ブロック２０に電気的に接続される。
【００８８】
ここで、受光素子５は、発光素子４からの直接光が入射せず、かつ感知空間Ｓｐ１内の煙での散乱光が入射する位置に配置される。具体的には、受光素子５は、本体部５０１の受光面を感知空間Ｓｐ１側に向けて配置されている。すなわち、発光素子４及び受光素子５の両方が、感知空間Ｓｐ１に向けて配置されている。ただし、図８に示すように、平面視において、発光素子４と受光素子５とを結ぶ直線上には、遮光壁７４が配置されている。遮光壁７４は、発光素子４からの受光素子５への直接光を遮る機能を有する。本実施形態では、遮光壁７４は、壁構造３を構成する複数の小片３０のうちの１つに連続する形状に形成されている。図８は、第２ケース７２を外した状態、つまり第２ケース７２を省略した感知ブロック１０の平面図である。
【００８９】
そして、図９Ａに示すように、平面視において、発光素子４の光軸Ａｘ１と、受光素子５の光軸Ａｘ２と、が互いに交差するような位置関係で、発光素子４及び受光素子５が配置されている。図９Ａの例では、平面視において円形状の感知空間Ｓｐ１の中心点Ｐ１において、発光素子４の光軸Ａｘ１と、受光素子５の光軸Ａｘ２と、が交差する。発光素子４及び受光素子５が、上述のような位置関係にあれば、発光素子４からの直接光は受光素子５には入射しない。一方で、感知空間Ｓｐ１内に煙が流入すると、発光素子４からの光は感知空間Ｓｐ１の中心点Ｐ１に存在する煙にて散乱し、この散乱光の少なくとも一部が受光素子５にて受光される。
【００９０】
このように、感知空間Ｓｐ１に煙が存在しない状態では、受光素子５は、発光素子４から出力された光を受光せず、感知空間Ｓｐ１に煙が存在する状態では、受光素子５は、発光素子４から出力され煙で散乱された光（散乱光）を受光する。したがって、煙感知器１は、受光素子５での受光状態によって、感知空間Ｓｐ１に存在する煙を感知することができる。
【００９１】
ここにおいて、本実施形態では、上述したように発光素子４が壁構造３の厚み内に収まっているので、壁構造３の内側面３１から発光素子４が突出する構成に比べて、感知空間Ｓｐ１を広く確保できる。感知空間Ｓｐ１が広くなれば、感知空間Ｓｐ１内における遮光壁７４の配置の自由度が高くなる。さらに、感知空間Ｓｐ１が広くなれば、感知空間Ｓｐ１の中心点Ｐ１から比較的離れた位置に遮光壁７４が配置可能となる。
【００９２】
また、本実施形態では、発光素子４の光軸Ａｘ１と受光素子５の光軸Ａｘ２とは、図１１に示すように、底板７３の上面７３１（一平面）に沿っている。図１１は、図８のＡ１−Ａ１線端面図である。図１１の例では、発光素子４の光軸Ａｘ１と受光素子５の光軸Ａｘ２とは、いずれも底板７３の上面７３１と略平行である。さらに、発光素子４の光軸Ａｘ１と受光素子５の光軸Ａｘ２とは、同一平面内に位置する。言い換えれば、発光素子４の光軸Ａｘ１及び受光素子５の光軸Ａｘ２とは、底板７３の上面７３１から略同一高さの位置にある。
【００９３】
また、遮光リブ７５は、平面視において、発光素子４の正面、つまり発光素子４の光出射面４１と対向する位置に配置されている。遮光リブ７５と第２ケース７２に設けられた対向リブ７２４との間には、図１０に示すように、一定の隙間が生じる。発光素子４の光軸Ａｘ１は、遮光リブ７５と対向リブ７２４との間の隙間を通ることになる。これにより、遮光リブ７５及び対向リブ７２４によって、発光素子４から出力された光の上下方向への拡がりが抑制される。その結果、発光素子４から出力された光が、底板７３の上面７３１又は上板７２１の下面にて反射することが抑制される。
【００９４】
また、補助遮光壁７６は、壁構造３を構成する複数の小片３０のうち、遮光壁７４と受光素子ホルダ９との間に位置する１つの小片３０に連続する形状に形成されている。補助遮光壁７６は、壁構造３の内側面３１から、感知空間Ｓｐ１内に突出する。補助遮光壁７６は、底板７３の上面７３１又は上板７２１の下面等での光の反射に起因した感知空間Ｓｐ１の内部での迷光の発生を抑制し、かつ感知空間Ｓｐ１内への煙の流入性を向上させる機能を有する。つまり、補助遮光壁７６は、感知空間Ｓｐ１の外部から感知空間Ｓｐ１に光が進入することを抑制するための壁構造３の一部である小片３０とは、別の構造体である。図８において、補助遮光壁７６と小片３０との境界線を想像線（２点鎖線）で示している。
【００９５】
発光素子ホルダ８は、上述したように第１ケース７１に設けられた第１ホルダ８１と、第２ケース７２に設けられた第２ホルダ８２と、の２部材に分割されており、発光素子４を保持する。ここで、発光素子ホルダ８の少なくとも一部は、図９Ａに示すように、内側面３１と外側面３２との間に配置されている。具体的には、第１ホルダ８１は、その大部分が内側面３１と外側面３２との間に収まるように、壁構造３を構成する複数の小片３０の間に配置されている。第１ホルダ８１は、発光素子４が嵌る窪みを有している。
【００９６】
さらに、本実施形態では、発光素子ホルダ８は、外側面３２で囲まれた領域に収まるように配置されている。つまり、発光素子ホルダ８（第１ホルダ８１を含む）は、外側面３２からはみ出さずに、外側面３２で囲まれた領域に収まる形状に形成されている。
【００９７】
また、発光素子ホルダ８は、発光素子４に電気的に接続されるリード線を通すための通線孔８０１を有している。本実施形態では、通線孔８０１を通るリード線は、リード端子４０２である。通線孔８０１は、第１ホルダ８１に形成されている。ここにおいて、通線孔８０１は、図９Ｂに示すように、内側面３１と外側面３２との間であって、内側面３１よりも外側面３２に近い位置に形成されている。言い換えれば、図９Ａに示すように、平面視において、壁構造３を厚み方向に２等分する中心線Ｃ１を引いた場合に、この中心線Ｃ１と外側面３２との間に、通線孔８０１が位置することになる。
【００９８】
また、発光素子ホルダ８は、図８に示すように、遮光片８０２を更に有している。遮光片８０２は、第１ホルダ８１における感知空間Ｓｐ１側を向いた面から、感知空間Ｓｐ１内に突出する。ここで、遮光片８０２は、第１ホルダ８１のうち、壁構造３の周方向において遮光壁７４から遠い側の端部から突出する。遮光片８０２は、発光素子４から出力され発光素子ホルダ８の表面で反射された光を遮る機能を有する。
【００９９】
また、発光素子ホルダ８は、図１０に示すように、位置決め面８０３を更に有している。位置決め面８０３は、発光素子４の光軸Ａｘ１と交差する面であって、発光素子４に対して外側面３２側から接触することにより、発光素子４の位置決めを行う。すなわち、位置決め面８０３は、発光素子４の背面４２に接触し、壁構造３の厚み方向における発光素子４の位置決めを行う。本実施形態では、発光素子ホルダ８は、上述したように第１ホルダ８１と、第２ホルダ８２と、の２部材に分割されているため、位置決め面８０３についても、これら第１ホルダ８１及び第２ホルダ８２の２部材にわたって形成されている。
【０１００】
さらに、本実施形態では、位置決め面８０３は、弾性、つまりばね性を有している。位置決め面８０３は、発光素子４を外側面３２側から押す向きの弾性力を発光素子４に作用させる。本実施形態では、発光素子ホルダ８が合成樹脂製であるため、少なくとも第２ホルダ８２が樹脂ばねとして機能することにより、位置決め面８０３に上述の弾性が付与される。
【０１０１】
受光素子ホルダ９は、受光素子５を保持する。ここで、受光素子ホルダ９の少なくとも一部は、図９Ａに示すように、内側面３１と外側面３２との間に配置されている。具体的には、受光素子ホルダ９は、その大部分が内側面３１と外側面３２との間に収まるように、壁構造３を構成する複数の小片３０の間に配置されている。受光素子ホルダ９は、受光素子５が嵌る窪みを有している。
【０１０２】
（３）変形例
実施形態１に係る煙感知器１は、本開示の様々な実施形態の一つに過ぎない。実施形態１に係る煙感知器１は、本開示の目的を達成できれば、設計等に応じて種々の変更が可能である。以下、実施形態１の変形例を列挙する。以下に説明する変形例は、適宜組み合わせて適用可能である。
【０１０３】
実施形態１では、壁構造３が複数の小片３０の集合体からなるが、この構成に限らず、壁構造３は周方向に連続した一体の「壁」であってもよい。この場合でも、壁構造３は、壁構造３を厚み方向に貫通する複数の煙通過孔３３を有することにより、厚み方向において、煙を通過させ、かつ光の透過を抑制する機能を実現可能である。
【０１０４】
また、実施形態１では、感知ブロック１０が筐体２の内部空間に収容される構成を示したが、この構成に限らず、例えば、感知ブロック１０の少なくとも一部が筐体２から突出する構成であってもよい。さらには、筐体２は、煙感知器１に必須の構成ではなく、適宜省略可能である。
【０１０５】
また、実施形態１では、感知ケース７及び感知空間Ｓｐ１のいずれもが平面視において円形状である場合について説明したが、この構成に限らず、感知ケース７又は感知空間Ｓｐ１は、例えば、平面視において楕円形状又は多角形状等であってもよい。この場合、壁構造３についても、平面視において、楕円形状又は多角形状等となる。
【０１０６】
また、実施形態１では、発光素子ホルダ８の一部が、壁構造３の内側面３１から感知空間Ｓｐ１内にはみ出すように配置されているが、この構成に限らず、発光素子ホルダ８の全体が内側面３１と外側面３２との間に収まっていてもよい。受光素子ホルダ９についても同様に、内側面３１と外側面３２との間に収まっていてもよい。
【０１０７】
また、実施形態１では、複数の小片３０は底板７３の上面７３１から突出するように底板７３と一体に形成されているが、この構成に限らず、複数の小片３０は、底板７３と別体であってもよい。例えば、底板７３に対して、複数の小片３０が、接着又は嵌め込み等により固定されてもよい。この場合、複数の小片３０は、ばらばらに存在することになるが、この場合でも、複数の小片３０が１つの壁構造３を構成する。
【０１０８】
また、発光素子４は、発光ダイオードに限らず、例えば、有機ＥＬ（Electro-Luminescence）素子、又はレーザダイオード（ＬＤ：Laser Diode）等であってもよい。受光素子５は、フォトダイオードに限らず、例えば、フォトトランジスタ等であってもよい。
【０１０９】
また、底面４３から突出するリード線、又は発光素子ホルダ８の通線孔８０１を通るリード線は、発光素子４に電気的に接続されるリード線であればよく、リード端子４０２に限らず、例えば、リード端子４０２に電気的に接続された電線等であってもよい。
【０１１０】
また、一対のリード端子４０２は、底面４３から突出する構成に限らず、例えば、光出射面４１又は背面４２等、本体部４０１における底面４３以外の面から突出していてもよい。
【０１１１】
また、基準方向（上下方向）における流路２９の幅を狭める張出部２８は、第２面２２ａに限らず、第１面２１ａに形成されていてもよいし、第１面２１ａ及び第２面２２ａの両方に形成されていてもよい。
【０１１２】
また、仕切壁２５は、第１面２１ａに限らず、第２面２２ａに形成されていてもよいし、第１面２１ａ及び第２面２２ａの両方に形成されていてもよい。
【０１１３】
さらに、複数の誘導壁２６についても、第２面２２ａに限らず、第１面２１ａに形成されていてもよいし、第１面２１ａ及び第２面２２ａの両方に形成されていてもよい。
【０１１４】
また、煙感知器１は、感知空間Ｓｐ１に流入した煙で散乱された発光素子４からの出力光を受光素子５で受光する構成に限らない。煙感知器１は、例えば、発光素子４からの直接光が入射する位置に受光素子５が配置され、感知空間Ｓｐ１に流入した煙による受光素子５での受光状態の変化（受光量の低下）によって、感知空間Ｓｐ１に存在する煙を感知してもよい。
【０１１５】
（実施形態２）
本実施形態に係る煙感知器１Ａは、図１２に示すように、壁構造３の形状等が実施形態１に係る煙感知器１とは相違する。以下、実施形態１と同様の構成については、共通の符号を付して適宜説明を省略する。
【０１１６】
煙感知器１Ａでは、図１２に示すように、平面視において、第１ケース７１の底板７３の上面７３１の外周縁と、壁構造３の外側面３２との間に殆どスペースが生じない。また、本実施形態では、補助遮光壁７６（図８参照）が省略されている。さらに、壁構造３を構成する複数の小片３０の各々の形状も、実施形態１に係る煙感知器１と相違する。図１２は、第２ケース７２を外した状態、つまり第２ケース７２を省略した感知ブロック１０の平面図である。また、図１２では、内側面３１及び外側面３２を想像線（２点鎖線）で表記し、壁構造３に相当する領域に網掛け（ドットハッチング）を付している。
【０１１７】
また、煙感知器１Ａでは、発光素子４の外観形状についても、実施形態１に係る煙感知器１と相違する。ただし、本実施形態でも、発光素子４は、リード端子４０２が突出する面（底面４３）を下方に向けた場合に、側方に光を出力する、いわゆるサイドビュータイプの発光ダイオードである。この発光素子４は、壁構造３の内側面３１と外側面３２との間に、光出射面４１を内側面３１側に向けて配置されている。
【０１１８】
また、図１３は、実施形態２の変形例に係る煙感知器１Ｂを示す。図１３に示す煙感知器１Ｂは、壁構造３が第１ケース７１ではなく、第２ケース７２に設けられている。図１３は、第２ケース７２を外した状態、つまり第２ケース７２を省略した感知ブロック１０の平面図である。そのため、図１３では、壁構造３を想像線（２点鎖線）で表記している。また、図１３では、内側面３１及び外側面３２を想像線（２点鎖線）で表記し、壁構造３に相当する領域に網掛け（ドットハッチング）を付している。さらに、図１３の例では、遮光壁７４についても、壁構造３と共に第２ケース７２に設けられている。このような構成の煙感知器１Ｂにおいても、第１ケース７１と第２ケース７２とが互いに結合された状態では、煙感知器１Ａと同様に、平面視において、感知空間Ｓｐ１を囲むように壁構造３が配置されることになる。
【０１１９】
実施形態２の構成（変形例を含む）は、実施形態１で説明した構成（変形例を含む）と適宜組み合わせて適用可能である。
【０１２０】
（実施形態３）
本実施形態に係る煙感知器１Ｃは、図１４及び図１５に示すように、第２カバー２２が透孔２７を有する点で、実施形態１に係る煙感知器１とは相違する。以下、実施形態１と同様の構成については、共通の符号を付して適宜説明を省略する。
【０１２１】
透孔２７は、第２カバー２２のうち音出力部６１に対応する位置に形成されており、筐体２の外部と収容空間Ｓｐ２とをつなぐ孔である。つまり、第２カバー２２における基準方向（上下方向）の両面である第２面２２ａと第２外側面２２ｂとは、透孔２７を通してつながることになる。本実施形態では、第２面２２ａにおける第２音響領域２２４の外周部に、４つの透孔２７が形成されている。各透孔２７は、第２主板２２１を第２主板２２１の板厚方向に貫通する孔であって、ここでは第２音響領域２２４の周方向に沿って延びた長孔状である。ただし、透孔２７の数及び形状は、上述した数及び形状に限らず、適宜変更可能である。
【０１２２】
本実施形態に係る煙感知器１Ｃによれば、図１５に示すように、音出力部６１が音を出力して収容空間Ｓｐ２内（特に仕切壁２５で囲まれた領域内）の空気が振動しても、この音（空気の振動）は、透孔２７を通して筐体２の外部（上方）に抜けやすくなる。図１５では、音の伝搬経路の一部を模式的に点線矢印で示している。このように、透孔２７を通して音が筐体２の外部に出力されることで、音出力部６１が出力する音は収容空間Ｓｐ２内で比較的こもりにくく、感知空間Ｓｐ１に対する音の影響をより低減できる。
【０１２３】
実施形態３の構成（変形例を含む）は、実施形態１及び２で説明した構成（変形例を含む）と適宜組み合わせて適用可能である。
【０１２４】
（実施形態４）
本実施形態に係る煙感知器１Ｄは、図１６及び図１７に示すように、感知ブロック１０と回路ブロック２０との位置関係が、実施形態１に係る煙感知器１とは相違する。以下、実施形態１と同様の構成については、共通の符号を付して適宜説明を省略する。
【０１２５】
本実施形態では、図１７に示すように、感知ブロック１０が回路ブロック２０の下方に位置する。具体的には、回路ブロック２０は、感知ブロック１０が電気的に接続されるプリント配線板２０１を有している。プリント配線板２０１は、収容空間Ｓｐ２内であって、基準方向（上下方向）において、第２面２２ａと感知ブロック１０との間に位置する。言い換えれば、収容空間Ｓｐ２内において、感知ブロック１０及びプリント配線板２０１は、第２面２２ａ側から、プリント配線板２０１、感知ブロック１０の順に並ぶように配置される。
【０１２６】
また、本実施形態に係る煙感知器１Ｄでは、基準方向（上下方向）における感知ブロック１０の向きについても、実施形態１に係る煙感知器１とは逆向きである。つまり、実施形態１に係る煙感知器１では、発光素子４のリード端子４０２及び受光素子５の一対のリード端子５０２は、いずれも感知ケース７の下面から下方に突出する。これに対して、本実施形態に係る煙感知器１Ｄでは、発光素子４のリード端子４０２及び受光素子５の一対のリード端子５０２は、いずれも感知ケース７の上面から上方に突出する。
【０１２７】
また、本実施形態では、実施形態１に比較して、第１主板２１１の上面からの第１周壁２１２の突出量が大きく設定されている。第２カバー２２においては第２周壁２２２が省略されており、第２カバー２２は、第１周壁２１２に囲まれた領域に嵌り込むようにして、第１カバー２１と組み合わされている。ここで、筐体２の内部空間を筐体２の外部とつなぐ開口部２３は、第１周壁２１２に形成されている。つまり、筐体２の内部空間（収容空間Ｓｐ２）には、第１周壁２１２に形成された開口部２３を通して煙が流入可能となる。ただし、開口部２３が第１周壁２１２に形成されることは煙感知器１Ｄに必須の構成ではなく、例えば、実施形態１と同様に、第１カバー２１と第２カバー２２との間に、開口部２３としての隙間が形成されていてもよい。
【０１２８】
また、本実施形態では、電池領域２２５には、第２主板２２１を第２主板２２１の板厚方向に貫通する貫通孔２２５ａ（図１７参照）が形成されている。これにより、貫通孔２２５ａを通しても、筐体２の外部から筐体２の内部空間（収容空間Ｓｐ２）へ煙が流入可能となる。ただし、貫通孔２２５ａは煙感知器１Ｄに必須の構成ではなく、適宜省略可能である。
【０１２９】
さらに、本実施形態では、第１カバー２１が、煙を感知空間Ｓｐ１へ誘導するための複数の誘導壁２６を有している。つまり、複数の誘導壁２６は、第２カバー２２ではなく、第１カバー２１に設けられている。複数の誘導壁２６は、図１７に示すように、第１面２１ａ（第１主板２１１の上面）から上方に突出する。複数の誘導壁２６は、平面視において、感知ブロック１０が配置される領域（回路領域２１３）の中心から略放射状に延びた形に形成されている。ただし、複数の誘導壁２６が第１カバー２１に設けられることは煙感知器１Ｄに必須の構成ではなく、例えば、実施形態１と同様に、複数の誘導壁２６が第２カバー２２に設けられていてもよい。
【０１３０】
本実施形態に係る煙感知器１Ｄによれば、例えば、感知ブロック１０が筐体２の下面から突出するように配置された「露出型」の煙感知器と、感知ブロック１０及び回路ブロック２０の位置関係を共通化できる。すなわち、煙感知器の態様としては、本実施形態に係る煙感知器１Ｄのように筐体２の内部空間（収容空間Ｓｐ２）に感知ブロック１０が収容された「内蔵型」と、筐体２の下面（第１外側面２１ｂ）から感知ブロック１０が突出する「露出型」と、がある。本実施形態のように、感知ブロック１０がプリント配線板２０１の下方に位置する構成によれば、内蔵型の煙感知器と、露出型の煙感知器とで、感知ブロック１０及び回路ブロック２０の位置関係を共通化できる。したがって、本実施形態に係る煙感知器１Ｄによれば、構造の異なる複数種類の煙感知器において、部品の共通化及び構造の共通化を図ることができる、という利点がある。
【０１３１】
実施形態４の構成（変形例を含む）は、実施形態１〜３で説明した構成（変形例を含む）と適宜組み合わせて適用可能である。
【０１３２】
（まとめ）
以上説明したように、第１の態様に係る煙感知器（１，１Ａ〜１Ｄ）は、筐体（２）と、光電式の感知ブロック（１０）と、音出力部（６１）と、を備える。筐体（２）は、第１カバー（２１）及び第２カバー（２２）を有する。筐体（２）は、第２カバー（２２）を施工面に向けて施工面に取り付けられる。感知ブロック（１０）は、感知空間（Ｓｐ１）を有し、感知空間（Ｓｐ１）内の煙を検知する。第１カバー（２１）は第１面（２１ａ）を含む。第２カバー（２２）は第１面（２１ａ）と基準方向に対向する第２面（２２ａ）を含む。感知ブロック（１０）及び音出力部（６１）は、第１面（２１ａ）と第２面（２２ａ）との間に形成された収容空間（Ｓｐ２）に配置されている。
【０１３３】
この態様によれば、筐体（２）を構成する第１カバー（２１）及び第２カバー（２２）の間であって、互いに対向する第１面（２１ａ）及び第２面（２２ａ）の間の収容空間（Ｓｐ２）に、感知ブロック（１０）及び音出力部（６１）が配置される。つまり、感知ブロック（１０）及び音出力部（６１）は、第１カバー（２１）及び第２カバー（２２）の２部材間に収容される。したがって、煙感知器（１，１Ａ〜１Ｄ）では、筐体（２）を少ない部品点数で実現しながらも、規定の感知性能を満足可能な感知ブロック（１０）、及び規定の音量を確保可能な音出力部（６１）を内蔵した煙感知器（１，１Ａ〜１Ｄ）を提供できる。
【０１３４】
第２の態様に係る煙感知器（１，１Ａ〜１Ｄ）では、第１の態様において、筐体（２）の外周面（２４）のうち第１カバー（２１）と第２カバー（２２）との間には、筐体（２）の外部と収容空間（Ｓｐ２）とをつなぐ開口部（２３）が形成されている。
【０１３５】
この態様によれば、開口部（２３）を比較的広く確保でき、開口部（２３）を通して、筐体（２）の外部から収容空間（Ｓｐ２）に、煙が効率的に流入可能となる。
【０１３６】
第３の態様に係る煙感知器（１，１Ａ〜１Ｄ）は、第１又は２の態様において、仕切壁（２５）を更に備える。仕切壁（２５）は、基準方向の一方から見て音出力部（６１）を囲むように、収容空間（Ｓｐ２）内における音出力部（６１）の周囲に配置されている。
【０１３７】
この態様によれば、収容空間（Ｓｐ２）に感知ブロック（１０）及び音出力部（６１）を一緒に収容しながらも、感知空間（Ｓｐ１）に対する音出力部（６１）の出力音の影響を低減することが可能である。
【０１３８】
第４の態様に係る煙感知器（１，１Ａ〜１Ｄ）では、第１〜３のいずれかの態様において、第２カバー（２２）は、音出力部（６１）に対応する位置に筐体（２）の外部と収容空間（Ｓｐ２）とをつなぐ透孔（２７）を有する。
【０１３９】
この態様によれば、音出力部（６１）の出力音は、透孔（２７）を通して筐体（２）の外部に出力されるため、音出力部（６１）の出力音は収容空間（Ｓｐ２）内で比較的こもりにくく、感知空間（Ｓｐ１）に対する音の影響を低減できる。
【０１４０】
第５の態様に係る煙感知器（１，１Ａ〜１Ｄ）は、第１〜４のいずれかの態様において、感知ブロック（１０）が電気的に接続されるプリント配線板（２０１）を更に備える。プリント配線板（２０１）は、収容空間（Ｓｐ２）内であって、基準方向において第２面（２２ａ）と感知ブロック（１０）との間に位置する。
【０１４１】
この態様によれば、感知ブロック（１０）が筐体（２）から突出するように配置された「露出型」の煙感知器と、部品の共通化及び構造の共通化を図ることができる。
【０１４２】
第６の態様に係る煙感知器（１，１Ａ〜１Ｄ）では、第１〜５のいずれかの態様において、第１カバー（２１）は、基準方向において第１面（２１ａ）とは反対側に位置する第１外側面（２１ｂ）を更に有する。第１外側面（２１ｂ）には第１外側面（２１ｂ）の外周縁に沿って延びる溝（２１６）が形成されている。溝（２１６）の底面のうち音出力部（６１）に対応する部分には音孔（２１７）が形成されている。
【０１４３】
この態様によれば、音出力部（６１）の出力音は、音孔（２１７）を通して筐体（２）の外部に出力されるため、音出力部（６１）の出力音は収容空間（Ｓｐ２）内で比較的こもりにくく、感知空間（Ｓｐ１）に対する音の影響を低減できる。さらに、音孔（２１７）が溝（２１６）の底面に形成されているので、第１外側面（２１ｂ）の法線方向以外からでは、音孔（２１７）を通して収容空間（Ｓｐ２）が視認されにくくなる。
【０１４４】
第７の態様に係る煙感知器（１，１Ａ〜１Ｄ）では、第１〜６のいずれかの態様において、収容空間（Ｓｐ２）には、感知ブロック（１０）の周囲において、感知空間（Ｓｐ１）の外部から感知空間（Ｓｐ１）へ流入する煙の流路（２９）が形成されている。第１面（２１ａ）と第２面（２２ａ）との少なくとも一方は、基準方向における流路（２９）の幅を狭める向きに張り出した張出部（２８）を有する。
【０１４５】
この態様によれば、基準方向における流路（２９）の幅が張出部（２８）にて狭められるので、張出部（２８）が無い構成に比べて、流路（２９）での煙の流速の低下が生じにくく、感知空間（Ｓｐ１）に煙が流入しやすくなる。
【０１４６】
第８の態様に係る煙感知器（１，１Ａ〜１Ｄ）では、第７の態様において、感知ブロック（１０）は、第２面（２２ａ）に形成された窪み部（２２３）内に配置されている。張出部（２８）は、第２面（２２ａ）における窪み部（２２３）の周囲に位置する。
【０１４７】
この態様によれば、流路（２９）を通る煙が第２面（２２ａ）側に広がることにより、煙が、感知空間Ｓｐ１により流入しやすくなる。
【０１４８】
第２〜８の態様は、煙感知器（１，１Ａ〜１Ｄ）に必須の構成ではなく、適宜省略可能である。
【符号の説明】
【０１４９】
１，１Ａ〜１Ｄ  煙感知器
２  筐体
１０  感知ブロック
２１  第１カバー
２１ａ  第１面
２１ｂ  第１外側面
２２  第２カバー
２２ａ  第２面
２３  開口部
２４  外周面
２５  仕切壁
２７  透孔
２８  張出部
２９  流路
６１  音出力部
２０１  プリント配線板
２１６  溝
２１７  音孔
２２３  窪み部
Ｓｐ２  収容空間
Ｓｐ１  感知空間
【図１】
2019168832.tif 000003
【図２】
2019168832.tif 000004
【図３】
2019168832.tif 000005
【図４】
2019168832.tif 000006
【図５】
2019168832.tif 000007
【図６】
2019168832.tif 000008
【図７】
2019168832.tif 000009
【図８】
2019168832.tif 000010
【図９】
2019168832.tif 000011
【図１０】
2019168832.tif 000012
【図１１】
2019168832.tif 000013
【図１２】
2019168832.tif 000014
【図１３】
2019168832.tif 000015
【図１４】
2019168832.tif 000016
【図１５】
2019168832.tif 000017
【図１６】
2019168832.tif 000018
【図１７】
2019168832.tif 000019